(57)【要約】【課題】  肩線を変化に富むラインとすることができ、肩甲骨や肩回りを包み込むような立体的な形状とすることができる上衣の提供。【解決手段】  上衣１は、前身頃２の肩線１３と後身頃１２の肩線１４とを縫い合わせ縫製される。前身頃２の肩線１３は、襟側が凹曲線１９に形成されると共に肩口側が凸曲線２０に形成されて、全体がＳ字状曲線に形成され、しかもこの前身頃２の肩線１３は、肩口側端部が通常の肩線２１の肩口側端部よりも背中側に位置している。後身頃１２の肩線１４は、前身頃２の肩線１３よりもやや短い凹曲線に形成され、しかも、後身頃１２の肩線１４は、肩口側端部が通常の肩線２７の肩口側端部よりも背中側に位置している。前身頃２の肩線１３と後身頃１２の肩線１４とは、イセ込みながら縫い合わせられる。【選択図】      図３
2010144293.tif 000002
【特許請求の範囲】
【請求項１】
前身頃の肩線と後身頃の肩線とを縫い合わせ縫製される上衣であって、
前身頃の肩線は、襟側が凹曲線に形成されると共に肩口側が凸曲線に形成されて、全体がＳ字状曲線に形成され、しかもこの前身頃の肩線は、肩口側端部が通常の肩線の肩口側端部よりも背中側に位置しており、
後身頃の肩線は、前記前身頃の肩線よりもやや短い凹曲線に形成され、しかも、前記後身頃の肩線は、肩口側端部が通常の肩線の肩口側端部よりも背中側に位置しており、
前記前身頃の肩線と前記後身頃の肩線とがイセ込みながら縫い合わせられてなる
ことを特徴とする上衣。
【発明の詳細な説明】
【技術分野】
【０００１】
本発明は、スーツの上衣などに関するものである。
【背景技術】
【０００２】
従来、スーツ上衣の肩線は、肩回りの上端部において、上襟と袖ぐりとの間で略直線状とされる。
【発明の開示】
【発明が解決しようとする課題】
【０００３】
本発明は、肩線を変化に富むラインとすることができると共に、肩甲骨や肩回りを包み込む立体的な形状とすることができ、快適な着用感を得ることができる上衣を提供せんとするものである。
【課題を解決するための手段】
【０００４】
本発明は、前記課題を解決するためになされたもので、前身頃の肩線と後身頃の肩線とを縫い合わせ縫製される上衣であって、前身頃の肩線は、襟側が凹曲線に形成されると共に肩口側が凸曲線に形成されて、全体がＳ字状曲線に形成され、しかもこの前身頃の肩線は、肩口側端部が通常の肩線の肩口側端部よりも背中側に位置しており、後身頃の肩線は、前記前身頃の肩線よりもやや短い凹曲線に形成され、しかも、前記後身頃の肩線は、肩口側端部が通常の肩線の肩口側端部よりも背中側に位置しており、前記前身頃の肩線と前記後身頃の肩線とがイセ込みながら縫い合わせられてなることを特徴とする上衣である。
【発明の効果】
【０００５】
本発明によれば、肩線を変化に富む独創的で美しいラインとすることができ、肩甲骨や肩回りを包み込むような立体的な形状とすることができ、快適な着用感を生ずる上衣を提供することができる。
【発明を実施するための最良の形態】
【０００６】
以下、本発明の具体的実施例を図面に基づいて詳細に説明する。
【０００７】
図１および図２は、本発明の上衣の一実施例を示す図であり、図１は上衣の右側の斜視図、図２は上衣の背面図である。図３は図１の身頃の概略図であり、（ａ）は前身頃の上部を示す概略正面図、（ｂ）は後身頃の上部を示す概略背面図である。本実施例の上衣１は、紳士用のシングルスーツの上衣とされる。
【０００８】
上衣１には、右側の前身頃２の上部に、上方へ開口した胸ポケット３が設けられ、右側の前身頃２の下部には、上方へ開口した腰ポケット４が設けられる。
【０００９】
右側の前身頃２には、胸の付近から腰ポケット４にかけて、上下方向に略直線状にフロントダーツ５が入れられる。フロントダーツ５は、つまみ縫いされた部分である。フロントダーツ５を入れることで、上衣１を立体的にすることができると共に、ウエストを絞って身体にフィットさせることができる。左側の前身頃には、前記フロントダーツ５と左右対称のフロントダーツが入れられる。
【００１０】
右側の前身頃２には、略三角形状の下襟６が形成される。下襟６は、前身頃２端部の略三角形状の折り返し部７を折り目８に沿って、折り返し部７前面と前身頃２前面とが重なるよう折り返すことで形成される。前身頃２の裏側には、折り返し部７の裏側を含む領域に、前身頃２と拝み合わせで見返し９が縫い付けられているため、折り返した際には、見返し９が下襟６の表側となる。右側の前身頃２の下襟６には、前後方向に貫通したフラワーホール１０が形成される。左側の前身頃には、右側の場合と同様に下襟が形成される。但し、前記フラワーホール１０は形成されない。
【００１１】
左側の前身頃には、下襟の下方にボタンが取り付けられる。右側の前身頃２には、下襟６の下方において前記ボタンと対応した位置に、前後方向に貫通したボタンホール１１が設けられる。ボタンの数は、二つまたは三つが一般的である。
【００１２】
上衣１の身頃は、左右それぞれにおいて前身頃２と後身頃１２とが縫い合わせられると共に、左右の後身頃１２，１２同士が縫い合わせられることで形成される。右側の前身頃２と右側の後身頃１２との縫い合わせは、前身頃２の肩線１３と後身頃１２の肩線１４とが縫い合わされると共に、前身頃２の脇線１５と後身頃１２の脇線１６とが縫い合わされることでなされる。なお、以下の説明においては、前身頃２の肩線１３を前身頃肩線ともいい、後身頃１２の肩線１４を後身頃肩線ともいう。左側の前身頃と左側の後身頃１２との縫い合わせは、右側の場合と同様である。一方、左右の後身頃１２，１２同士の縫い合わせは、対応する端辺同士を縫い合わせることでなされる。
【００１３】
図１に示すように、本発明を実施した上衣１の肩線１７は、通常の肩線１８（図１における二点鎖線）と異なり、この肩線１７を形成するための前身頃肩線１３および後身頃肩線１４について、以下に説明する。図３において、二点鎖線は通常の肩線の位置を示している。
【００１４】
前身頃肩線１３は、襟側が凹曲線１９に形成されると共に肩口側が凸曲線２０に形成されて、全体がＳ字状曲線に形成されている。前身頃肩線１３の肩口側端部は、通常の肩線２１の肩口側端部よりも背中側（図３（ａ）において上方）に偏心している。つまり、前身頃肩線１３の肩口側端点２２は、通常の肩線２１の肩口側端点２３よりも背中側に位置しており、肩口側端点２２は、前身頃肩口線２４の延長線上にあり滑らかに連続している。一方、前身頃肩線１３の襟側端点２５は、通常の肩線２１の襟側端点２６と同じ位置とされている。
【００１５】
本実施例では、前身頃肩線１３は、その肩線箇所の前身頃幅の内、襟側から略三分の一の部分が凹曲線１９に形成されると共に、肩口側から略三分の二の部分が凸曲線２０に形成されて、襟側端点２５から肩口側端点２２までの全体がＳ字形状に形成されている。前記凸曲線２０において最も外側へ膨らんだ箇所の、通常の肩線２１からの偏位距離は３ｃｍ程度とされる。また、通常の肩線２１の肩口側端点２３と、前身頃肩線１３の肩口側端点２２との間隔は、２．５ｃｍ程度とされる。
【００１６】
後身頃肩線１４は、前身頃肩線１３よりもやや短く、背中側に若干凹状に形成された弧状とされる。後身頃肩線１４の肩口側端部は、通常の肩線２７の肩口側端部よりも背中側に偏心している。つまり、後身頃肩線１４は、通常の肩線２７の襟側端点２８と、通常の肩線２７の肩口側端点２９よりも背中側（図３（ｂ）において下方）の点とを結んで形成される。本実施例では、通常の肩線２７の肩口側端点２９と、後身頃肩線１４の肩口側端点３０との間隔は、４ｃｍ程度とされる。
【００１７】
そして、前身頃肩線１３と後身頃肩線１４とをイセ込みながら縫い合わせることで、本実施例の肩線１７は、通常の肩線１８よりも背中側において、背中側に凸曲線となる略弧状を描くようにでき、通常の肩線１８の肩口側端部よりも背中側に肩口側端部を偏心させることができる。本実施例では、１．５ｃｍ程度イセ込みながら縫い合わせられる。ここでは右側の肩線１７について説明したが、左側の肩線１７についても同様である。
【００１８】
このようにして、左右双方の肩線１７，１７は、肩回りの上端部に形成される通常の肩線１８よりも背中側に位置して形成でき、変化に富む弧状曲線を創出することができる。さらに、肩口側端部が背中側に位置すると共にＳ字状曲線に形成された前身頃肩線１３と、同じく肩口側端部が背中側に位置すると共に前身頃肩線１３よりやや短い凹曲線に形成された後身頃肩線１４とをイセ込みながら縫い合わすことで、肩回りや肩甲骨に沿うよう丸みをおびた形状とすることができる。これにより、快適な着用感を得ることができる。
【００１９】
本発明の上衣は、前記実施例の構成に限らず、適宜変更可能である。前記実施例では、上衣１は、紳士用のシングルスーツについて説明したが、紳士用のダブルスーツにも適用可能である。また、上衣１は、ジャケットなどでもよい。
【図面の簡単な説明】
【００２０】
【図１】本発明の上衣の一実施例を示す図であり、上衣の右側の斜視図である。
【図２】本発明の上衣の一実施例を示す図であり、上衣の背面図である。
【図３】図１の身頃の概略図であり、（ａ）は前身頃の上部を示す概略正面図、（ｂ）は後身頃の上部を示す概略背面図である。
【符号の説明】
【００２１】
１  上衣
２  前身頃
１２  後身頃
１３  前身頃肩線
１４  後身頃肩線
１９  凹曲線
２０  凸曲線
２１  通常の肩線
２７  通常の肩線
【図１】
2010144293.tif 000003
【図２】
2010144293.tif 000004
【図３】
2010144293.tif 000005